(57)【要約】      （修正有）【課題】電子文書に下線や注釈を付加する場合とは異なり、元の電子文書を構成する要素に変化を与えた閲覧用の文書を提示できるようにする情報処理装置及びプログラムを提供する。【解決手段】閲覧システム１において、管理サーバ３０は、閲覧対象である電子文書を構成する要素に変化を与える情報を指示するファイルの追加を受け付ける機能と、受け付けた情報を電子文書に紐付けて管理する機能を有する。マニュアルサーバ４０は、電子文書に紐付けられている情報を反映した電子文書を提示する機能を有する。【選択図】図１
2019016072.tif 000002
【特許請求の範囲】
【請求項１】
コンピュータに、
閲覧対象である電子文書を構成する要素に変化を与える情報を指示するファイルの追加を受け付ける機能と、
前記情報を前記電子文書に紐付けて管理する機能と、
前記情報を反映した前記電子文書を提示する機能と、
を実行させるためのプログラム。
【請求項２】
前記情報は、前記電子文書の一部分と差替えられる文書、当該電子文書の全部と差替えられる文書、及び、前記要素に対する変化を指示するプログラムのいずれか１つ又は複数を含む、請求項１に記載のプログラム。
【請求項３】
前記ファイルには前記情報の種類に応じた拡張子が付与される、請求項２に記載のプログラム。
【請求項４】
前記ファイルは、ポップアップ形式で又は付箋として表示されるコメントに紐付けられる、請求項１に記載のプログラム。
【請求項５】
前記情報の入力を補助する画面を表示する、請求項１に記載のプログラム。
【請求項６】
前記範囲の指定は、選択入力を通じて受け付ける、請求項１に記載のプログラム。
【請求項７】
前記範囲は、個人、グループ、組織、役職、プロジェクト、取引先、端末装置、位置情報のいずれか又は組み合わせによって指定される、請求項６に記載のプログラム。
【請求項８】
前記電子文書に紐付けられる前記情報と前記範囲を、当該電子文書の記憶領域から独立した記憶領域で管理する、請求項１に記載のプログラム。
【請求項９】
コンピュータに、
閲覧対象である電子文書を構成する要素に変化を与える情報を指示するファイルが、当該電子文書に紐付けられているか否かを判定する機能と、
前記ファイルが前記電子文書に紐付けられている場合、閲覧者が前記情報を反映した当該電子文書の閲覧対象者か否かを判定する機能と、
前記情報を反映した前記電子文書の閲覧が許可されている場合には、当該情報を反映した当該電子文書を提示し、当該情報を反映した当該電子文書の閲覧が許可されていない場合、当該情報が反映されていない当該電子文書を提示する機能と、
を実行させるためのプログラム。
【請求項１０】
前記電子文書に紐付けられている前記ファイルの有無を、当該電子文書の記憶領域から独立した記憶領域へのアクセスを通じて判定する、請求項９に記載のプログラム。
【請求項１１】
閲覧対象である電子文書を構成する要素に変化を与える情報を指示するファイルの追加を受け付ける受付部と、
前記情報を前記電子文書に紐付けて管理する管理部と、
前記情報を反映した前記電子文書を提示する提示部と、
を有する情報処理装置。
【請求項１２】
閲覧対象である電子文書を構成する要素に変化を与える情報を指示するファイルが、当該電子文書に紐付けられているか否かを判定する第１の判定部と、
前記ファイルが前記電子文書に紐付けられている場合、閲覧者が前記情報を反映した当該電子文書の閲覧対象者か否かを判定する第２の判定部と、
前記情報を反映した前記電子文書の閲覧が許可されている場合には、当該情報を反映した当該電子文書を提示し、当該情報を反映した当該電子文書の閲覧が許可されていない場合、当該情報が反映されていない当該電子文書を提示する提示制御部と
を有する情報処理装置。
【発明の詳細な説明】
【技術分野】
【０００１】
本発明は、情報処理装置及びプログラムに関する。
【背景技術】
【０００２】
現在、情報の共有にはウェブページが用いられる。例えば特許文献１には、システムを利用する各人が閲覧中のページに付した下線や注釈を、そのページを閲覧する全ての利用者の間で共有するための技術が記載されている。
【先行技術文献】
【特許文献】
【０００３】
【特許文献１】特開２００８−１１７３７４号公報
【発明の概要】
【発明が解決しようとする課題】
【０００４】
ところが、ページを構成する要素はそのままに下線や注釈をページに付与する技術は存在しても、ページを構成する要素に変化を与える情報を指示するファイルを受け付ける仕組みは存在しない。
【０００５】
本発明は、電子文書に下線や注釈を付加する場合とは異なり、元の電子文書を構成する要素に変化を与えた閲覧用の文書を提示できるようにすることを目的とする。
【課題を解決するための手段】
【０００６】
請求項１に記載の発明は、コンピュータに、閲覧対象である電子文書を構成する要素に変化を与える情報を指示するファイルの追加を受け付ける機能と、前記情報を前記電子文書に紐付けて管理する機能と、前記情報を反映した前記電子文書を提示する機能と、を実行させるためのプログラムである。
請求項２に記載の発明は、前記情報は、前記電子文書の一部分と差替えられる文書、当該電子文書の全部と差替えられる文書、及び、前記要素に対する変化を指示するプログラムのいずれか１つ又は複数を含む、請求項１に記載のプログラムである。
請求項３に記載の発明は、前記ファイルには前記情報の種類に応じた拡張子が付与される、請求項２に記載のプログラムである。
請求項４に記載の発明は、前記ファイルは、ポップアップ形式で又は付箋として表示されるコメントに紐付けられる、請求項１に記載のプログラムである。
請求項５に記載の発明は、前記情報の入力を補助する画面を表示する、請求項１に記載のプログラムである。
請求項６に記載の発明は、前記範囲の指定は、選択入力を通じて受け付ける、請求項１に記載のプログラムである。
請求項７に記載の発明は、前記範囲は、個人、グループ、組織、役職、プロジェクト、取引先、端末装置、位置情報のいずれか又は組み合わせによって指定される、請求項６に記載のプログラムである。
請求項８に記載の発明は、前記電子文書に紐付けられる前記情報と前記範囲を、当該電子文書の記憶領域から独立した記憶領域で管理する、請求項１に記載のプログラムである。
請求項９に記載の発明は、コンピュータに、閲覧対象である電子文書を構成する要素に変化を与える情報を指示するファイルが、当該電子文書に紐付けられているか否かを判定する機能と、前記ファイルが前記電子文書に紐付けられている場合、閲覧者が前記情報を反映した当該電子文書の閲覧対象者か否かを判定する機能と、前記情報を反映した前記電子文書の閲覧が許可されている場合には、当該情報を反映した当該電子文書を提示し、当該情報を反映した当該電子文書の閲覧が許可されていない場合、当該情報が反映されていない当該電子文書を提示する機能と、を実行させるためのプログラムである。
請求項１０に記載の発明は、前記電子文書に紐付けられている前記ファイルの有無を、当該電子文書の記憶領域から独立した記憶領域へのアクセスを通じて判定する、請求項９に記載のプログラムである。
請求項１１に記載の発明は、閲覧対象である電子文書を構成する要素に変化を与える情報を指示するファイルの追加を受け付ける受付部と、前記情報を前記電子文書に紐付けて管理する管理部と、前記情報を反映した前記電子文書を提示する提示部と、を有する情報処理装置である。
請求項１２に記載の発明は、閲覧対象である電子文書を構成する要素に変化を与える情報を指示するファイルが、当該電子文書に紐付けられているか否かを判定する第１の判定部と、前記ファイルが前記電子文書に紐付けられている場合、閲覧者が前記情報を反映した当該電子文書の閲覧対象者か否かを判定する第２の判定部と、前記情報を反映した前記電子文書の閲覧が許可されている場合には、当該情報を反映した当該電子文書を提示し、当該情報を反映した当該電子文書の閲覧が許可されていない場合、当該情報が反映されていない当該電子文書を提示する提示制御部とを有する情報処理装置である。
【発明の効果】
【０００７】
請求項１記載の発明によれば、電子文書に下線や注釈を付加する場合とは異なり、元の電子文書を構成する要素に変化を与えた閲覧用の文書を提示できる。
請求項２記載の発明によれば、電子文書に下線や注釈を付加する場合とは異なり、元の電子文書を構成する要素に変化を与えた閲覧用の文書を提示できる。
請求項３記載の発明によれば、変化の内容を多様化できる。
請求項４記載の発明によれば、電子文書に下線や注釈を付加する場合とは異なり、元の電子文書を構成する要素に変化を与えた閲覧用の文書を提示できる。
請求項５記載の発明によれば、専門知識を有しなくても変化を与える情報を入力できる。
請求項６記載の発明によれば、範囲の入力作業を効率化できる。
請求項７記載の発明によれば、範囲の入力作業を効率化できる。
請求項８記載の発明によれば、電子文書自体の管理と閲覧上の変更を与える管理とを切り離すことができる。
請求項９記載の発明によれば、閲覧者を区別しない場合とは異なり、閲覧者によって構成要素の内容が異なる閲覧用の文書を提示できる。
請求項１０記載の発明によれば、電子文書自体の管理と閲覧上の変更を与える管理とを切り離すことができる。
請求項１１記載の発明によれば、電子文書に下線や注釈を付加する場合とは異なり、元の電子文書を構成する要素に変化を与えた閲覧用の文書を提示できる。
請求項１２記載の発明によれば、閲覧者を区別しない場合とは異なり、閲覧者によって構成要素の内容が異なる閲覧用の文書を提示できる。
【図面の簡単な説明】
【０００８】
【図１】本実施の形態に係る閲覧システムの構成例を説明する図である。
【図２】管理サーバとマニュアルサーバに共通するハードウェア構成の一例を説明する図である。
【図３】管理サーバの機能構成の一例を説明する図である。
【図４】コメント管理データベースに記憶されるコメント管理データの一例を示す図である。
【図５】付加情報解析部が解析に使用する付加情報テーブルの一例である。
【図６】付加情報管理データベースに記憶される付加情報管理データの一例を示す図である。
【図７】マニュアルサーバの機能構成の一例を説明する図である。
【図８】管理サーバで実行される処理動作の一例を示すフローチャートである。
【図９】情報の受け付けに用いられるユーザインタフェース画面の一例を示す図である。
【図１０】スタイル変更を指示する付加情報の入力補助のために用意された入力画面の表示例を示す図である。
【図１１】４種類の付加情報の入力補助のために用意された他の入力画面の例を示す図である。
【図１２】入力画面によって入力された情報に基づいて作成されるｃｓｓファイルの一例を示す図である。
【図１３】本文差替えを指示する付加情報の入力補助のために用意された入力画面の例を示す図である。
【図１４】本文差替えを指示する付加情報の入力補助のために用意された他の入力画面の例を示す図である。
【図１５】入力画面によって入力された情報に基づいて作成されるｈｔｍｌファイルの一例を示す図である。
【図１６】ページ差替えを指示する付加情報の入力補助のために用意された他の入力画面の例を示す図である。
【図１７】差替え後に表示されるページの例を示す図である。
【図１８】スクリプトを付加情報として与える場合に使用する入力画面の表示例を示す図である。
【図１９】スクリプトを付加情報として与える場合に使用する他の入力画面の表示例を示す図である。
【図２０】入力画面を通じて受け付けた情報に基づいて作成されたスクリプトファイルの一例を示す図である。
【図２１】適用範囲の受け付けに用いられる登録画面の一例を示す図である。
【図２２】マニュアルサーバで実行される処理動作の一例を示すフローチャートである。
【図２３】アクセスされたページにスタイル変更に係る付加情報が付加されている場合におけるユーザインタフェース画面の例を説明する図である。（ａ）は閲覧対象者のユーザインタフェース画面の一例を示し、（ｂ）は非閲覧対象者のユーザインタフェース画面の例を示す。
【図２４】アクセスされたページに本文差替えに係る付加情報が付加されている場合におけるユーザインタフェース画面の例を説明する図である。（ａ）は閲覧対象者のユーザインタフェース画面の一例を示し、（ｂ）は非閲覧対象者のユーザインタフェース画面の例を示す。
【図２５】アクセスされたページの差替えに係る付加情報が付加されている場合におけるユーザインタフェース画面の例を説明する図である。（ａ）は閲覧対象者のユーザインタフェース画面の一例を示し、（ｂ）は非閲覧対象者のユーザインタフェース画面の例を示す。
【図２６】アクセスされたページのスクリプトに係る付加情報が付加されている場合におけるユーザインタフェース画面の例を説明する図である。（ａ）は閲覧対象者のユーザインタフェース画面の一例を示し、（ｂ）は非閲覧対象者のユーザインタフェース画面の例を示す。
【発明を実施するための形態】
【０００９】
以下、添付図面を参照して、実施の形態について詳細に説明する。
【００１０】
＜実施の形態１＞
＜システム構成＞
図１は、本実施の形態に係る閲覧システム１の構成例を説明する図である。
閲覧システム１は、ネットワーク１０と、利用者が操作する端末２０と、閲覧対象となる電子マニュアルへの変更を管理する管理サーバ３０と、電子マニュアルをアクセス元の端末２０に提供するマニュアルサーバ４０とで構成される。
【００１１】
ここでのネットワーク１０は、例えばローカルエリアネットワーク、インターネットである。
端末２０は、ネットワーク１０との接続機能と表示デバイスとを有する装置であればよく、例えばノート型のコンピュータ、スマートフォン、ゲーム機などの情報機器である。
【００１２】
管理サーバ３０は、電子マニュアルのページを構成する要素に変化を与える付加情報を指示するファイルの追加を受け付ける機能と、付加情報を反映した電子マニュアルの閲覧を許可するユーザの範囲を受け付ける機能と、受け付けた付加情報と範囲とを電子マニュアルに紐付けて管理する機能とを有している。
なお、本実施の形態における管理サーバ３０は、電子マニュアルのページへのコメントの付加を受け付ける機能、コメントの閲覧を許可するユーザの範囲を受け付ける機能、受け付けたコメントと範囲を電子マニュアルに紐付ける機能も有している。
各機能の詳細については後述する。
【００１３】
マニュアルサーバ４０は、ネットワーク１０を通じて電子文書の一例である電子マニュアルを端末２０の閲覧に供するサーバである。
マニュアルサーバ４０は、閲覧対象である電子マニュアルに付加情報が紐付けられているか否かを判定する機能と、電子マニュアルに紐付けられた付加情報（具体的には付加情報を反映した電子マニュアル）の閲覧が許可されているユーザ（閲覧対象者）か否かを判定する機能と、各判定結果に応じてユーザに応じた電子マニュアルを提示する機能とを有している。
各機能の詳細については後述する。
【００１４】
本実施の形態の場合、電子マニュアルのページを構成する要素とは、例えば文字、文、図、写真、ページの一部分、ページ全体をいう。
また、コメントとは、電子マニュアルのページを構成する要素に変化を与えない情報をいい、後述するようにポップアップ形式や付箋としてページに付加される。
なお、本実施の形態では、管理サーバ３０とマニュアルサーバ４０を別に用意しているが、これらを１つのサーバとして構成してもよい。
本実施の形態では、閲覧対象者か否かを区別しない場合、電子マニュアルを閲覧するユーザを閲覧者という。
【００１５】
＜サーバの構成＞
図２は、管理サーバ３０とマニュアルサーバ４０に共通するハードウェア構成の一例を説明する図である。
管理サーバ３０とマニュアルサーバ４０は、いずれもコンピュータを基本構成とする。管理サーバ３０とマニュアルサーバ４０は、いずれも情報処理装置の一例である。
【００１６】
管理サーバ３０は、付加情報の受け付け処理や閲覧を許可するユーザの範囲の受け付け処理等を実行する信号処理部３１と、各種のプログラムやデータが記憶される記憶装置３２と、作業者による操作の受け付けに使用される操作受付装置３３と、外部装置との間でデータを受け渡しする通信装置３４とを有している。
マニュアルサーバ４０は、閲覧対象である電子文書のページの送信処理等を実行する信号処理部４１と、各種のプログラムやデータが記憶される記憶装置４２と、作業者による操作の受け付けに使用される操作受付装置４３と、外部装置との間でデータを受け渡しする通信装置４４とを有している。
【００１７】
信号処理部３１及び４１は、プログラムを実行するＣＰＵ（Central Processing Unit）３１Ａ及び４１Ａと、起動プログラム等が保存されるＲＯＭ（Read Only Memory）３１Ｂ及び４１Ｂと、作業領域として使用されるＲＡＭ（Random Access Memory）３１Ｃ及び４１Ｃとを有している。
なお、記憶装置３２及び４２は、ハードディスク装置等で構成される。記憶装置３２及び４２は、通信装置３４及び４４を通じて接続される外部装置でもよい。
操作受付装置３３及び４３は、例えばキーボード、マウス、タッチパネルである。操作受付装置３３及び４３は、不図示の表示装置に表示されたユーザインタフェース画面に対する情報の入力や指示の入力に使用される。
通信装置３４及び４４は、例えばＵＳＢ（Universal Serial Bus）インターフェース、ネットワークインターフェースである。
【００１８】
図３は、管理サーバ３０の機能構成の一例を説明する図である。
図３に示す機能構成は、信号処理部３１によるプログラムの実行を通じて実現される。
本実施の形態の場合、信号処理部３１は、ユーザが指定したコメントや付加情報の入力を受け付ける情報受付部３０１と、コメントの管理に使用されるコメント管理データベース（ＤＢ）３０２と、付加情報の種別を解析する付加情報解析部３０３と、付加情報を管理する付加情報管理データベース３０４とを有している。
【００１９】
情報受付部３０１は、後述するユーザインタフェース画面を通じてコメントと付加情報を受け付ける。付加情報の受け付けは複数でも良い。その際、複数の付加情報は同じ種類である必要はなく、異なる種類でもよい。
コメントを付加する位置は、ユーザによって指定される。
コメントは電子マニュアルを構成するページ上にポップアップ形式で、又は、付箋として表示される。
入力するコメントの個数は複数でもよい。
【００２０】
コメントの受け付け機能を提供する情報受付部３０１は第１の受付部の一例であり、付加情報の受け付け機能を提供する情報受付部３０１は第１の受付部の一例である。
情報受付部３０１は受け付けたコメントをコメント管理データベース（ＤＢ）３０２に記憶する。この機能を提供する情報受付部３０１は管理部の一例である。
【００２１】
本実施の形態の場合、付加情報は、スタイル変更、本文差替え、ページ差替え、スクリプト等のページを構成する要素に変化を与える情報を意味する。
スタイル変更は、文字などの表示色、フォントの種類、フォントのサイズ、背景色等の変化を与える情報である。
本文差替えは、電子マニュアル（ページ）内の特定範囲を別の内容に差替える情報であり、換言すると、ページ内を部分的に差替える情報である。差替え対象には、図や写真も含まれる。
【００２２】
ページ差替えは、電子マニュアルを構成するページ単位の差替えを指示する情報であり、前述した本文差替えとは差替えの単位が異なる。なお、ページ差替え前のページ数とページ差替え後のページ数はいずれも複数でよい。
スクリプトは、スタイル変更、本文差替え、ページ差替え等の変更をプログラムの実行を通じて指示する情報である。
本実施の形態の場合、スタイル変更、本文差替え、ページ差替え、これらの差替えを伴うスクリプトは、ページを構成する要素に変化を与える情報の一例である。
付加情報は、１つのコメントに関連付けて複数入力されても良い。本実施の形態では、関連があることを紐付けられているという。
【００２３】
コメント管理データベース（ＤＢ）３０２は、記憶装置３２（図２参照）の一部として、又は、通信装置３４（図２参照）を通じて接続された外部の記憶装置として実現される。
図４は、コメント管理データベース３０２に記憶されるコメント管理データ３０２Ａの一例を示す図である。
ここで、コメント管理データ３０２Ａは、コメントを付与する電子マニュアル毎に用意される。
コメント管理データ３０２Ａは、コメントを付与するページ、ページ内の位置、コメントの内容、コメントを反映したページの閲覧が許容されるユーザの範囲（適用範囲）とで構成される。
本実施の形態の場合、適用範囲の一例として、個人としての「Ａさん」、特定のグループのメンバーとしての「２Ｇ＿Ｕｓｅｒｓ」と「Ｐａｔｅｎｔ＿Ｇ」、事業部門としての「ＳＯＬ＿Ｄｅｖ」を記している。
なお、コメントについては適用範囲を定めないデータ構成としてもよい。
【００２４】
図３の説明に戻る。
付加情報解析部３０３は、付加情報として与えられるファイルの拡張子を用いて付加情報の種別を解析する機能と、解析結果に基づいて付加情報を付加情報管理データベース（ＤＢ）３０４に記憶する機能とを提供する。
ここでの付加情報解析部３０３は管理部の一例である。
【００２５】
付加情報は、予め定められた拡張子を付したファイルとして情報受付部３０１に入力される場合もあれば、後述するユーザインタフェース画面への情報の入力を通じて入力され、その後、ファイルが生成される場合もある。
図５は、付加情報解析部３０３が解析に使用する付加情報テーブル３０３Ａの一例である。
付加情報テーブル３０３Ａでは、ファイルの拡張子と種別の関係が記憶されている。
図５の例の場合、「ｃｓｓ」はスタイル変更に対応し、「ｈｔｍｌ」は本文差替えに対応し、「ｐｄｆ」と「ｈｔｍｌ」はページ差替えに対応し、「ｊｓ」はスクリプトに対応する。
ここで、付加情報解析部３０３は、拡張子が「ｈｔｍｌ」の場合、ページ内の位置が指定されている場合には本文差替えとし、ページ内の位置が指定されていない場合にはページ差替えと解析する。
【００２６】
図３の説明に戻る。
付加情報管理データベース（ＤＢ）３０４は、記憶装置３２（図２参照）の一部として、又は、通信装置３４（図２参照）を通じて接続された外部の記憶装置として実現される。
図６は、付加情報管理データベース３０４に記憶される付加情報管理データ３０４Ａの一例を示す図である。付加情報管理データ３０４Ａも、コメントを付与する電子マニュアル毎に用意される。本実施の形態の場合、付加情報は、コメントの付加操作に関連して登録されるためである。
付加情報管理データ３０４Ａは、付加情報を付与するページ、ページ内の位置、種別、ファイルのデータ、付加情報を反映したページの閲覧が許容されるユーザの範囲（適用範囲）を含む。
本実施の形態の場合、付加情報を反映したページの閲覧が許容されるユーザの範囲と、コメントを反映したページの閲覧が許容されるユーザの範囲とは同じである。もっとも、２つの範囲の一部又は全部は異なってもよい。
【００２７】
続いて、マニュアルサーバ４０の機能構成について説明する。
図７は、マニュアルサーバ４０の機能構成の一例を説明する図である。
図７に示す機能構成は、信号処理部４１によるプログラムの実行を通じて実現される。
本実施の形態の場合、信号処理部４１は、ユーザがアクセスしたページを判定するアクセスページ判定部４０１と、アクセスされたページに付加された情報がある場合、情報を対応するページに反映する情報反映部４０２と、電子マニュアルの電子データを記憶するマニュアルデータベース（ＤＢ）４０３と、アクセスのあったページをユーザに送信するページ送信部４０４とを有している。
【００２８】
アクセスページ判定部４０１は、端末２０のウェブブラウザを通じて与えられるアクセス情報に基づいて閲覧対象である電子マニュアルのページを特定する。
情報反映部４０２は、閲覧対象であるページに紐付けられている情報の有無を判定する機能と、紐付けられている情報が存在する場合に閲覧者は情報を反映したページの閲覧が許可されているか否かを判定する機能と、判定結果に応じて閲覧用のページを用意する機能とを有している。
【００２９】
ここで、情報反映部４０２は、コメント管理データベース３０２のコメント管理データ３０２Ａ（図４参照）と付加情報管理データベース３０４の付加情報管理データ３０４Ａ（図６参照）を参照し、閲覧対象であるページに紐付けられたコメントや付加情報の有無を判定する。
この機能を提供する情報反映部４０２は、第１の判定部の一例である。
【００３０】
また、情報反映部４０２は、コメント管理データベース３０２のコメント管理データ３０２Ａ（図４参照）と付加情報管理データベース３０４の付加情報管理データ３０４Ａ（図６参照）を参照し、閲覧者がコメントや付加情報を反映したページの閲覧が許容されているか否かを判定する。
この機能を提供する情報反映部４０２は、第２の判定部の一例である。
なお、コメント管理データベース３０２と付加情報管理データベース３０４は、記憶領域の一例である。
【００３１】
本実施の形態の場合、コメントや付加情報が存在し、かつ、付加されているコメントや付加情報の閲覧が許容されたユーザの場合、情報反映部４０２は、マニュアルデータベース４０３から読み出した閲覧対象のページにコメントや付加情報を反映し、生成された閲覧画面をページ送信部４０４に与える。
一方、コメントや付加情報が存在しない場合やコメントや付加情報が存在しても付加されているコメントや付加情報の閲覧が許容されていないユーザの場合、情報反映部４０２は、閲覧対象のページをそのままページ送信部４０４に与える。
情報反映部４０２は、提示制御部の一例である。
【００３２】
マニュアルデータベース４０３は、記憶装置４２（図２参照）の一部として、又は、通信装置４４（図２参照）を通じて接続された外部の記憶装置（記憶領域）として実現される。
ページ送信部４０４は、情報反映部４０２から受信したページを閲覧者に提示する。
【００３３】
＜処理動作＞
続いて、管理サーバ３０及びマニュアルサーバ４０において実行される処理動作について説明する。
【００３４】
＜情報を登録するときの処理＞
図８は、管理サーバ３０で実行される処理動作の一例を示すフローチャートである。
図８に示す処理は、管理サーバ３０（図２参照）の情報受付部３０１（図３参照）及び付加情報解析部３０３（図３参照）を通じて実現される。
まず、情報受付部３０１が情報の入力を受け付ける（ステップ１０１）。
【００３５】
図９は、情報の受け付けに用いられるユーザインタフェース画面５００の一例を示す図である。
ユーザインタフェース画面５００には、電子マニュアルのうち作業対象のページ５０２の一部が表示されている。
電子マニュアルの編集作業者は、例えばページ５０２内の位置をポインタ５０３で指定し、不図示の操作を通じて（例えば右クリックして）入力欄５０４を開き、コメント文を入力する。
【００３６】
図９では、コメント文として「２０１７／３／８（改行）２Ｇでは、キャッシュカードのセットを忘れることが多いです。ご注意ください。」との文面が入力されている。
本実施の形態の場合、文中の（改行）は、後続する文（すなわち「２Ｇでは、キャッシュカードのセットを忘れることが多いです。ご注意ください。」）を改行して表示することを意味している。
図９で入力したコメント文の内容は、第２グループ（２Ｇ）のメンバーに宛てた情報であり、他のグループのメンバーには必要ない情報である。
【００３７】
このため、本実施の形態の場合には、コメント文を反映したページを閲覧できるユーザの範囲を指定するための仕組みが用意されている。
具体的には、入力欄５０４に添付ボタン５０５が用意されている。
ユーザが添付ボタン５０５をクリックすると、ページを構成する要素に変化を与える付加情報の入力を補助する画面が表示される。補助画面は、専門知識を有しなくても変化を与える情報を入力できるように用意されている。
【００３８】
図１０は、スタイル変更を指示する付加情報の入力補助のために用意された入力画面５１０の表示例を示す図である。
入力画面５１０は、スタイル変更用のページ、本文差替え用のページ、ページ差替え用のページ、スクリプト用のページで構成され、それぞれタブによって区別されている。
図１０に示す入力画面５１０では、スタイル変更タブ５１１に対応するページが開いている。入力画面５１０には、スタイル変更タブ５１１の他、本文差替えタブ５１２、ページ差替えタブ５１３、スクリプトタブ５１４がある。
【００３９】
スタイル変更タブ５１１に対応するページでは、スタイル種別、文字色、文字スタイル、背景色、変更箇所の入力が可能である。
図１０の場合、スタイル種別、文字色、文字スタイル、背景色についてはプルダウンメニューが用意されており、それぞれ囲み枠、黒色、ボールド、赤が選択されている。
なお、図１０の場合、変更箇所を特定する情報として、ページ内のタイトルである「参考」が指定されている。もっとも、変更箇所の特定は、ページ５０２上での文字列の指定、変更対象とする文字列のテキスト入力等によって行ってもよい。
編集作業者は、入力内容を確定するときは確定ボタン（ＯＫ）５１５をクリックし、入力内容を取り消すときはキャンセルボタン５１６をクリックする。
【００４０】
図１１は、４種類の付加情報の入力補助のために用意された他の入力画面５１０Ａの例を示す図である。
入力画面５１０Ａも、スタイル変更タブ５１１に対応するページの例を表している。
入力画面５１０Ａの場合には、囲み枠と文字装飾のそれぞれについて、プレビュー画面欄５１７と文字属性の指定に用いるボタン類５１８が用意されている。図１１では、作図上の制約のため、プレビュー画面欄５１７をグレースケールで表現しているが、実際の画面では、塗りつぶし欄で指定された色を背景色とする画像が表示される。これらは、図１０におけるプルダウンメニューの代わりに使用される。入力画面５１０Ａの場合、スタイルに変更を加える箇所はページ５０２上で指定されている。
入力画面５１０Ａの場合、ユーザは予め変更内容を反映した場合のイメージを確認しながら変更内容を入力できる。
【００４１】
図１２は、入力画面５１０及び５１０Ａによって入力された情報に基づいて作成されるｃｓｓ（Cascading Style Sheets）ファイル５２０の一例を示す図である。
図１２の場合、スタイルシートには「参考」とのタイトルが付された文字列の背景をピンクに変更し、枠線を赤色に変更することが記述されている。
なお、本実施の形態では、入力画面５１０（図１０参照）や入力画面５１０Ａ（図１１参照）を用いて変更の内容を入力しているが、図１２に示すような記述（いわゆるスタイルシート）をユーザが直接入力してもよい。また、予め作成したｃｓｓファイル５２０をファイル名で指定してもよい。
【００４２】
図１３は、本文差替えを指示する付加情報の入力補助のために用意された入力画面５１０Ｂの例を示す図である。
入力画面５１０Ｂも、スタイル変更用のページ、本文差替え用のページ、ページ差替え用のページ、スクリプト用のページで構成され、それぞれタブによって区別されている。
図１３に示す入力画面５１０Ｂでは、本文差替えタブ５１２に対応するページが開いている。
入力画面５１０Ｂには、本文差替えタブ５１２の他、スタイル変更タブ５１１、ページ差替えタブ５１３、スクリプトタブ５１４が用意されている。
【００４３】
本文差替えタブ５１２に対応するページでは、ファイル名の指定が可能である。図１３の場合、参照ボタンにはプルダウンメニューが用意されており、選択可能なファイル名の中から１つを選択できる。
本実施の形態の場合、本文差替えはｈｔｍｌファイルとして用意されている。
編集作業者は、入力内容を確定するときは確定ボタン（ＯＫ）５１５をクリックし、入力内容を取り消すときはキャンセルボタン５１６をクリックする。
【００４４】
図１４は、本文差替えを指示する付加情報の入力補助のために用意された他の入力画面５１０Ｃの例を示す図である。
入力画面５１０Ｃも、本文差替えタブ５１２に対応するページの例を表している。
入力画面５１０Ｃの場合には、差替え後の内容を直接入力できるようになっている。図１４の例では、差替え対象に選択された本文の内容（選択内容）の表示欄と、差替え後の内容の入力欄とが設けられている。
入力画面５１０Ｃの場合、ユーザは変更前の内容を確認しながら変更後の内容を入力できる。図１４の例では、「３．  行員は受け付けた書類をチェックする。」との記載が、「３．  行員は受け付けた書類をダブルチェックする。」に変更されている。「ダブル」が変更内容である。
【００４５】
図１５は、入力画面５１０Ｂ及び５１０Ｃによって入力された情報に基づいて作成されるｈｔｍｌ（HyperText Markup Language）ファイル５３０の一例を示す図である。
図１５に示す差替え後の本文の記載では、「３．  行員は受け付けた書類をダブルチェックする。」との記載部分のフォント色が注意喚起のため赤色に変更されている。
【００４６】
図１６は、ページ差替えを指示する付加情報の入力補助のために用意された他の入力画面５１０Ｄの例を示す図である。本文差替えはページ内の一部分の差替えであったのに対し、ページ差替えはページ単位の差替えである。
入力画面５１０Ｄは、ページ差替えタブ５１３に対応するページの表示例を表している。
入力画面５１０Ｄの場合には、参照ボタンの操作を通じて、差替えて使用するページ文書のファイル名を指定できるようになっている。
図１７は、差替え後に表示されるページの例を示す図である。図１７に示すユーザインタフェース画面５００Ａでは、「構造化文書作成支援モジュールサンプル文書」なるタイトルのページが表示されている。このページの内容は、差替え前のページ（図９参照）とは内容もレイアウトも異なっている。
【００４７】
図１８は、スクリプトを付加情報として与える場合に使用する入力画面５１０Ｅの表示例を示す図である。スクリプトは簡易プログラムであり、前述したスタイル変更、本文差替え、ページ差替えは勿論、より複雑な表示（例えば表示内容が時間の経過と共に変化する表示）も記述することができる。
入力画面５１０Ｅでは、指定可能なスクリプトの種別をプルダウン方式で選択できるようになっている。この実施の形態では、例えばアラートとファイル指定がプルダウンメニューに用意されている。
入力画面５１０Ｅは、スクリプトの種別として「アラート」が選択された場合の例である。この例の場合、編集作業者は表示させたい内容をメッセージ欄に入力することが可能であり、メッセージ欄に入力された内容がユーザインタフェース画面５００（図９参照）にポップアップ表示される。
【００４８】
図１９は、スクリプトを付加情報として与える場合に使用する他の入力画面５１０Ｆの表示例を示す図である。スクリプトの種別として「ファイル指定」が選択された場合の例である。
入力画面５１０Ｆでは、参照ボタンの操作を通じて、スクリプトファイル名を指定できるようになっている。この場合、メッセージ欄は使用不能な状態で表示される。
【００４９】
図２０は、入力画面５１０Ｅを通じて受け付けた情報に基づいて作成されたスクリプトファイル５４０の一例を示す図である。
図２０に示すスクリプトファイル５４０は、「２Ｇはチェックミスが多いので、気をつけてください」とのアラート文のポップアップ表示の実行を指示する記述で構成されている。
【００５０】
図８の説明に戻る。
管理サーバ３０の信号処理部３１（図３参照）は、ユーザからの情報の入力を受け付けると（図９〜図２０参照）、入力された情報の種類を解析する（ステップ１０２）。
本実施の形態の場合、付加情報解析部３０３（図３参照）は、付加情報として追加されているファイルの拡張子に基づいて付加情報の種類を判定する。この判定には付加情報テーブル３０３Ａ（図５参照）を使用する。ファイルの拡張子は、付加情報の種類を表している。
【００５１】
本実施の形態の場合、付加情報解析部３０３は、最初の判定処理として、付加情報がスタイル変更か否か判定する（ステップ１０３）。
ファイルの拡張子が「ｃｓｓ」である場合、付加情報解析部３０３は、肯定結果を得る。すなわち、付加情報解析部３０３は、付加情報がスタイル変更であると判定する。
この場合、付加情報解析部３０３は、付加情報の種別情報としてスタイル変更を登録する（ステップ１０４）。ここでの登録先は、付加情報管理データベース（ＤＢ）３０４で管理されている付加情報管理データ３０４Ａ（図６参照）である。
【００５２】
この後、付加情報解析部３０３は、入力された情報の閲覧が許可されるユーザの範囲を登録する（ステップ１０５）。ここでの情報には、付加情報だけでなくコメントも含む。なお、ユーザの範囲の登録は、コメントについての登録と付加情報についての登録と別々に行ってもよい。
本実施の形態の場合には、付加情報についてのユーザの範囲が登録された場合には、対応するコメントについてもユーザの範囲が登録されたものとして扱う。
【００５３】
図２１は、適用範囲の受け付けに用いられる登録画面５５０の一例を示す図である。本実施の形態の場合、付加情報を適用した画面が表示される範囲は、例えば個人、グループ、組織、役職、プロジェクト、取引先、端末装置、位置情報のいずれか又は組み合わせによって指定することができる。
【００５４】
図２１に示す登録画面５５０では、最大範囲としての全社、全社の構成要素である事業部門１、事業部門２、事業部門３、事業部門の構成要素であるグループ１、グループ２、グループ３、最小単位としての個人がチェックボックスと共に表示されており、グループ１にチェック記号が記されている。
チェック記号の表示は、対応する項目の選択状態を示している。従って、チェック記号が付されていない項目は選択されていないことを意味する。
なお、コメントや付加情報の閲覧を制限しない場合には、最大範囲である全社にチェックを入れればよい。
閲覧が許可されるユーザの登録にチェックボックスを用いることにより、範囲の入力作業を効率化できる。
【００５５】
図８の説明に戻る。
ステップ１０５の処理が終了した時点で、付加情報解析部３０３は、他の入力がないか判定する（ステップ１０６）。本実施の形態の場合、ここでの判定は、不図示のインターフェース画面を用いて、ユーザが付加情報の入力の終了を指示したか、他の付加情報の入力を指示したかに基づいて行われる。
否定結果が得られた場合（他の入力がある場合）、付加情報解析部３０３は、ステップ１０１に戻る。一方、肯定結果が得られた場合（入力の受け付けを終了する場合）、付加情報解析部３０３は、処理を終了する。
【００５６】
続いて、ステップ１０３で否定結果が得られた場合について説明する。この場合は、付加情報の種類がスタイル変更以外であることを意味する。
次に、付加情報解析部３０３は、付加情報は本文差替えか否かを判定する（ステップ１０７）。
ファイルの拡張子が「ｈｔｍｌ」であって、ページ内の位置の指定を含む場合、付加情報解析部３０３は、肯定結果を得る。すなわち、付加情報解析部３０３は、付加情報が本文差替えであると判定する。
この場合、付加情報解析部３０３は、付加情報の種別情報として本文差替えを登録する（ステップ１０８）。ここでの登録先も、付加情報管理データベース（ＤＢ）３０４で管理されている付加情報管理データ３０４Ａ（図６参照）である。
この後、付加情報解析部３０３は、付加情報を適用する範囲の登録を受け付け（ステップ１０５）、他の入力がないか判定する（ステップ１０６）。
【００５７】
ステップ１０７でも否定結果が得られた場合、付加情報解析部３０３は、付加情報はページ差替えか否かを判定する（ステップ１０９）。
ファイルの拡張子が「ｈｔｍｌ」又は「ｐｄｆ」であって、ページ内の位置の指定を含まない場合、付加情報解析部３０３は、肯定結果を得る。すなわち、付加情報解析部３０３は、付加情報がページ差替えであると判定する。
この場合、付加情報解析部３０３は、付加情報の種別情報としてページ差替えを登録する（ステップ１１０）。
この後、付加情報解析部３０３は、付加情報を適用する範囲の登録を受け付け（ステップ１０５）、他の入力がないか判定する（ステップ１０６）。
【００５８】
ステップ１０９でも否定結果が得られた場合、付加情報解析部３０３は、付加情報はスクリプトか否かを判定する（ステップ１１１）。
ファイルの拡張子が「ｊｓ」の場合、付加情報解析部３０３は、肯定結果を得る。すなわち、付加情報解析部３０３は、付加情報がスクリプトであると判定する。
この場合、付加情報解析部３０３は、付加情報の種別情報としてスクリプトを登録する（ステップ１１２）。
この後、付加情報解析部３０３は、付加情報を適用する範囲の登録を受け付け（ステップ１０５）、他の入力がないか判定する（ステップ１０６）。
【００５９】
なお、ステップ１１１でも否定結果が得られた場合、付加情報解析部３０３は付加情報の入力はないと判定する。例えばコメントの入力はあるが、付加情報の入力はない場合である。
この場合、付加情報解析部３０３は、ステップ１０５に移動し、入力されたコメントを適用する範囲の登録を受け付ける。
この後、付加情報解析部３０３は、コメントを適用する範囲の登録を受け付け（ステップ１０５）、他の入力がないか判定する（ステップ１０６）。
【００６０】
＜ページにアクセスがあったときの処理＞
ここでは、マニュアルサーバ４０に閲覧者が操作する端末２０からアクセスがあった場合の動作について説明する。
図２２は、マニュアルサーバ４０で実行される処理動作の一例を示すフローチャートである。
図２２に示す処理は、マニュアルサーバ４０（図２参照）による処理機能（アクセスページ判定部４０１（図７参照）、情報反映部４０２（図７参照）、ページ送信部４０４（図７参照））を通じて実現される。
【００６１】
まず、アクセスページ判定部４０１は、ユーザがアクセスしたページを判定する（ステップ２０１）。
ここで、アクセスページ判定部４０１は、コメント管理データ３０２Ａ（図４参照）及び付加情報管理データ３０４Ａ（図６参照）の両方又は一方に基づいて、ページに付加された情報があるか否か判定する（ステップ２０２）。
ステップ２０２で否定結果が得られた場合（付加された情報がない場合）、情報反映部４０２は、閲覧対象であるページをマニュアルデータベース（ＤＢ）４０３から読み出してそのまま送信する（ステップ２０３）。
この場合、いずれの端末２０でも、同じ内容のページが表示される。
【００６２】
ステップ２０２で肯定結果が得られた場合（すなわち付加された情報がある場合）、情報反映部４０２は、閲覧者は付加情報の閲覧が許可された閲覧対象者か否かを判定する（ステップ２０４）。
ステップ２０４で否定結果が得られた場合（すなわち付加された情報の閲覧が許可されていない場合）、情報反映部４０２はステップ２０３に進み、情報が付加されていない内容のページを送信する。
一方、ステップ２０４で肯定結果が得られた場合（付加された情報の閲覧が許容されている場合）、情報反映部４０２は、付加情報はスタイル変更か否か判定する（ステップ２０５）。
本実施の形態の場合、コメントは１種類であるためである。
【００６３】
ステップ２０５で肯定結果が得られた場合（付加情報の種類がスタイル変更の場合）、情報反映部４０２は、アクセスのあったページにｃｓｓファイル５２０の参照タグを追加して送信する（ステップ２０６）。
図２３は、アクセスされたページにスタイル変更に係る付加情報が付加されている場合におけるユーザインタフェース画面の例を説明する図である。（ａ）は閲覧対象者のユーザインタフェース画面５０１Ａの一例を示し、（ｂ）は非閲覧対象者のユーザインタフェース画面５０１Ｂの例を示す。
【００６４】
ユーザインタフェース画面５０１Ｂに表示されるページ５０２Ｂの内容は、マニュアルデータベース（ＤＢ）４０３（図７参照）から読み出されたページと同じである。
一方、ユーザインタフェース画面５０１Ａに表示されるページ５０２Ａには、コメント６１１と、付加情報によって表示スタイルが変更された部分６１２とが含まれている。
本実施の形態の場合、コメント６１１は、「２０１７／３／８（改行）２Ｇでは、キャッシュカードのセットを忘れることが多いです。ご注意ください。」との文で構成され、ユーザインタフェース画面５０１Ａのうちページ５０２Ａ  の表示領域の上部に表示されている。
本実施の形態の場合、ユーザインタフェース画面５０１Ａのうち表示スタイルが変更された部分５１２Ａの文面は、ユーザインタフェース画面５０１Ｂの文面と同じであるが、背景色が赤に変更され、かつ、文字が太字に変更されて注意を喚起する態様に変更されている。
【００６５】
図２２の説明に戻る。
ここでは、ステップ２０５で否定結果が得られた場合について説明する。
この場合、情報反映部４０２は、付加情報は本文差替えか否か判定する（ステップ２０７）。
【００６６】
ステップ２０７で肯定結果が得られた場合（すなわち付加情報の種類が本文差替えの場合）、情報反映部４０２は、アクセスのあったページのうち該当範囲を添付ファイル（ここでは、ｈｔｍｌファイル）の内容で差替えて送信する（ステップ２０８）。
図２４は、アクセスされたページに本文差替えに係る付加情報が付加されている場合におけるユーザインタフェース画面の例を説明する図である。（ａ）は閲覧対象者のユーザインタフェース画面５０１Ｃの一例を示し、（ｂ）は非閲覧対象者のユーザインタフェース画面５０１Ｂの例を示す。
【００６７】
ユーザインタフェース画面５０１Ｂに表示されるページ５０２Ｂの内容は、マニュアルデータベース（ＤＢ）４０３（図７参照）から読み出されたページと同じである。
一方、ユーザインタフェース画面５０１Ｃに表示されるページ５０２Ｃには、コメント６１１と、付加情報に基づく差替えにより追加された文６１３とが含まれる。
コメント６１１の内容は図２３と同じである。
本実施の形態の場合、文６１３は「（３）行員は受け付けた書類をダブルチェックする。」なる記述で構成される。この内容は、図１５で受け付けた内容と同じである。
【００６８】
図２２の説明に戻る。
ここでは、ステップ２０７で否定結果が得られた場合について説明する。
この場合、情報反映部４０２は、付加情報はページ差替えか否か判定する（ステップ２０９）。
【００６９】
ステップ２０９で肯定結果が得られた場合（すなわち付加情報の種類がページ差替えの場合）、情報反映部４０２は、アクセスのあったページを添付ファイル（ここでは、ｈｔｍｌファイル）の内容で差替えて送信する（ステップ２１０）。
図２５は、アクセスされたページの差替えに係る付加情報が付加されている場合におけるユーザインタフェース画面の例を説明する図である。（ａ）は閲覧対象者のユーザインタフェース画面５０１Ｄの一例を示し、（ｂ）は非閲覧対象者のユーザインタフェース画面５０１Ｂの例を示す。
【００７０】
ユーザインタフェース画面５０１Ｂに表示されるページ５０２Ｂの内容は、マニュアルデータベース（ＤＢ）４０３（図７参照）から読み出されたページと同じである。
一方、ユーザインタフェース画面５０１Ｄに表示されるページ５０２Ｄは、コメント６１１が表示される点では前述した他のユーザインタフェース画面５０１Ａ及び５０１Ｃと同じであるが、ページ５０２Ｄの内容が全く異なっている。
【００７１】
図２２の説明に戻る。
ここでは、ステップ２０９で否定結果が得られた場合について説明する。
この場合、情報反映部４０２は、付加情報はスクリプトか否か判定する（ステップ２１１）。
【００７２】
ステップ２１１で肯定結果が得られた場合（すなわち付加情報の種類がスクリプトの場合）、情報反映部４０２は、アクセスのあったページにスクリプトを埋め込んで送信する（ステップ２１２）。
図２６は、アクセスされたページのスクリプトに係る付加情報が付加されている場合におけるユーザインタフェース画面の例を説明する図である。（ａ）は閲覧対象者のユーザインタフェース画面５０１Ｅの一例を示し、（ｂ）は非閲覧対象者のユーザインタフェース画面５０１Ｂの例を示す。
【００７３】
ユーザインタフェース画面５０１Ｂに表示されるページ５０２Ｂの内容は、マニュアルデータベース（ＤＢ）４０３（図７参照）から読み出されたページと同じである。
一方、ユーザインタフェース画面５０１Ｅに表示されるページ５０２Ｅの内容は、ページ５０２Ｂと同じである。ただし、ポップアップ表示６１５が追加されている。本実施の形態の場合、ポップアップ表示６１５は、「２Ｇはチェックミスが多いので、気を付けてください」とのアラート文である。
【００７４】
＜実施の形態の効果＞
本実施の形態に係る閲覧システム１によれば、電子マニュアルの原本データには変更を加えることなく、一部のユーザにはコメントや付加情報が付加された状態の電子マニュアルの閲覧を実現できる。
また、本実施の形態に係る閲覧システム１によれば、電子マニュアルに下線や注釈を単純に付加した画面の閲覧を可能にするのとは異なり、電子マニュアルに変化を与えた内容の閲覧を可能にできる。
また、本実施の形態に係る閲覧システム１の場合には、電子マニュアルの原本データが格納されるマニュアルデータベース（ＤＢ）４０３とは独立に、コメント管理データベース（ＤＢ）３０２及び付加情報管理データベース（ＤＢ）３０４を設けることにより、原本データの修正に対するコメントや付加情報の作り直しを最小限にとどめることができる。換言すると、電子文書自体の管理と閲覧上の変更を与える管理とを切り離すことができる。
【００７５】
＜他の実施の形態＞
以上、本発明の実施の形態について説明したが、本発明の技術的範囲は上記実施の形態に記載の範囲には限定されない。上記実施の形態に、種々の変更又は改良を加えたものも、本発明の技術的範囲に含まれることは、特許請求の範囲の記載から明らかである。
【００７６】
例えば前述の実施の形態においては、コメントや付加情報の追加の際に閲覧を許容するユーザの範囲を設定しているが（図８のステップ１０５参照）、閲覧を許容するユーザの範囲を設定しない仕組みとしてもよい。この場合には、電子マニュアルにアクセスしたユーザは誰もが同じ内容を閲覧できる。その場合でも、電子マニュアルの原本データはそのままに、電子マニュアルを構成する要素（例えば文字、文、図、写真、ページの一部分、ページ全体）に変化を与えた内容の閲覧を可能にできる。
【００７７】
前述の実施の形態においては、閲覧を許容するユーザの範囲の選択入力をチェックボックスへのチェックの入力を通じて実現したが、チェックボックスの代わりに選択ボタンを用いてもよい。
【符号の説明】
【００７８】
１…閲覧システム、２０…端末、３０…管理サーバ、４０…マニュアルサーバ、３０１…情報受付部、３０２…コメント管理データベース（ＤＢ）、３０２Ａ…コメント管理データ、３０３…付加情報解析部、３０３Ａ…付加情報テーブル、３０４…付加情報管理データベース（ＤＢ）、３０４Ａ…付加情報管理データ、４０１…アクセスページ判定部、４０２…情報反映部、４０３…マニュアルデータベース（ＤＢ）、４０４…ページ送信部、５０１、５００Ａ、５０１Ａ、５０１Ｂ、５０１Ｃ、５０１Ｄ、５０１Ｅ…ユーザインタフェース画面、５０２、５０２Ａ、５０２Ｂ、５０２Ｃ、５０２Ｄ、５０２Ｅ…ページ、５０４…入力欄、５０５…添付ボタン、５１０、５１０Ａ、５１０Ｂ、５１０Ｃ、５１０Ｄ、５１０Ｅ、５１０Ｆ…入力画面、５２０…ｃｓｓファイル、５３０…ｈｔｍｌファイル、５４０…スクリプトファイル、５５０…登録画面
【図１】
2019016072.tif 000003
【図２】
2019016072.tif 000004
【図３】
2019016072.tif 000005
【図４】
2019016072.tif 000006
【図５】
2019016072.tif 000007
【図６】
2019016072.tif 000008
【図７】
2019016072.tif 000009
【図８】
2019016072.tif 000010
【図９】
2019016072.tif 000011
【図１０】
2019016072.tif 000012
【図１１】
2019016072.tif 000013
【図１２】
2019016072.tif 000014
【図１３】
2019016072.tif 000015
【図１４】
2019016072.tif 000016
【図１５】
2019016072.tif 000017
【図１６】
2019016072.tif 000018
【図１７】
2019016072.tif 000019
【図１８】
2019016072.tif 000020
【図１９】
2019016072.tif 000021
【図２０】
2019016072.tif 000022
【図２１】
2019016072.tif 000023
【図２２】
2019016072.tif 000024
【図２３】
2019016072.tif 000025
【図２４】
2019016072.tif 000026
【図２５】
2019016072.tif 000027
【図２６】
2019016072.tif 000028